(57)【要約】      （修正有）【課題】フォーカスの調整を容易にする表示装置を提供する。【解決手段】表示装置２は、撮像装置が被写体を撮影することにより生成された画像データを取得する画像データ取得部２５２と、撮像装置における撮影に用いられているフォーカス位置を示す第１フォーカスデータを取得するフォーカスデータ取得部２５３と、第１フォーカスデータを記憶部２４に記憶させる記憶制御部２５４と、画像データに基づく画像を表示部２３に表示させる画像表示部２５５と、を有し、フォーカスデータ取得部２５３は、記憶制御部２５４が第１フォーカスデータを記憶部２４に記憶させた後に実行される撮像装置における画像の撮影期間中に、撮像装置において用いられているフォーカス位置を示す第２フォーカスデータを取得し、画像表示部２５５は、撮影期間中に、画像データに基づく表示画像に重畳して、第１フォーカスデータ及び第２フォーカスデータを表示部２３に表示させる。【選択図】図４
2016206251.tif 000002
【特許請求の範囲】
【請求項１】
撮像装置が被写体を撮影することにより生成された画像データを取得する画像データ取得手段と、
前記撮像装置における撮影に用いられているフォーカス位置を示す第１フォーカスデータを取得するフォーカスデータ取得手段と、
前記第１フォーカスデータを記憶手段に記憶させる記憶制御手段と、
前記画像データに基づく画像を表示手段に表示させる画像表示手段と、
を有し、
前記フォーカスデータ取得手段は、前記記憶制御手段が前記第１フォーカスデータを前記記憶手段に記憶させた後に実行される前記撮像装置における画像の撮影期間中に、前記撮像装置において用いられているフォーカス位置を示す第２フォーカスデータを取得し、
前記画像表示手段は、前記撮影期間中に、前記画像データに基づく表示画像に重畳して、前記第１フォーカスデータ及び前記第２フォーカスデータを表示手段に表示させることを特徴とする表示装置。
【請求項２】
前記記憶制御手段は、前記撮像装置において用いられているフォーカス位置が所定値以上の時間にわたって同一である場合に、前記第１フォーカスデータを前記記憶手段に記憶させることを特徴とする、
請求項１に記載の表示装置。
【請求項３】
前記記憶制御手段は、前記撮像装置において用いられている前記フォーカス位置が所定値以上の時間にわたって同一である場合に、基準時刻から前記フォーカス位置に設定された時刻までの経過時間を前記フォーカス位置に関連付けて前記記憶手段に記憶させることを特徴とする、
請求項２に記載の表示装置。
【請求項４】
前記フォーカスデータ取得手段は、複数の前記第１フォーカスデータを取得し、
前記記憶制御手段は、前記フォーカスデータ取得手段が取得した順番と前記複数の第１フォーカスデータとを関連付けて前記記憶手段に記憶させ、
前記画像表示手段は、前記順番に関連付けて前記複数の第１フォーカスデータを前記表示手段に表示させることを特徴とする、
請求項１から３のいずれか１項に記載の表示装置。
【請求項５】
前記画像表示手段は、前記第２フォーカスデータが、前記表示手段に表示させた前記第１フォーカスデータから所定の範囲内に含まれた後に、前記所定の範囲外に変化した場合に、次の順番に対応する前記第１フォーカスデータを前記表示手段に表示させることを特徴とする、
請求項４に記載の表示装置。
【請求項６】
前記画像表示手段は、前記表示手段に表示させた前記複数の第１フォーカスデータのうち、前記第２フォーカスデータから所定の範囲内になった第１フォーカスデータの表示を中止することを特徴とする、
請求項４又は５に記載の表示装置。
【請求項７】
前記記憶制御手段は、撮影シーンを識別するためのシーン識別情報に関連付けて前記第１フォーカスデータを前記記憶手段に記憶させ、
前記画像表示手段は、前記記憶手段に記憶された複数の前記シーン識別情報から一のシーン識別情報を選択するための画面を前記表示手段に表示させ、選択された前記一のシーン識別情報に対応する前記第１フォーカスデータを前記表示手段に表示させることを特徴とする、
請求項１から６のいずれか１項に記載の表示装置。
【請求項８】
前記記憶制御手段は、前記撮像装置を識別するための撮像装置識別情報に関連付けて前記第１フォーカスデータを記憶手段に記憶させ、
前記フォーカスデータ取得手段は、前記撮像装置から前記撮像装置識別情報を取得し、
前記画像表示手段は、前記記憶制御手段が前記第１フォーカスデータを前記記憶手段に記憶させた後に実行される撮影期間中に前記フォーカスデータ取得手段が取得した前記撮像装置識別情報が、前記記憶手段から読み出した前記第１フォーカスデータに関連付けられている前記撮像装置識別情報と一致しない場合に、警告情報を前記表示手段に表示させることを特徴とする、
請求項１から７のいずれか１項に記載の表示装置。
【請求項９】
前記記憶制御手段は、前記画像データ取得手段が前記撮像装置から取得した前記撮像装置識別情報が、前記記憶手段から読み出した前記第１フォーカスデータに関連付けられている前記撮像装置識別情報と一致しない場合に、前記撮像装置において用いられているフォーカス位置を示すフォーカスデータを、当該撮像装置の前記撮像装置識別情報に関連付けて前記第１フォーカスデータとして記憶手段に記憶させることを特徴とする、
請求項８に記載の表示装置。
【請求項１０】
撮像装置が被写体を撮影することにより生成された画像データを取得するステップと、
前記撮像装置における撮影に用いられているフォーカス位置を示す第１フォーカスデータを取得するステップと、
前記第１フォーカスデータを記憶手段に記憶させるステップと、
前記画像データに基づく画像を表示手段に表示させるステップと、
前記第１フォーカスデータを前記記憶手段に記憶させるステップの後に実行される前記撮像装置における画像の撮影期間中に、前記撮像装置において用いられているフォーカス位置を示す第２フォーカスデータを取得するステップと、
前記撮影期間中に、前記画像データに基づく表示画像に重畳して、前記第１フォーカスデータ及び前記第２フォーカスデータを表示手段に表示させるステップと、
を有することを特徴とする表示制御方法。
【請求項１１】
前記記憶させるステップにおいて、前記撮像装置において用いられているフォーカス位置が所定値以上の時間にわたって同一である場合に、前記第１フォーカスデータを前記記憶手段に記憶させることを特徴とする、
請求項１０に記載の表示制御方法。
【請求項１２】
前記記憶させるステップにおいて、前記撮像装置において用いられている前記フォーカス位置が所定値以上の時間にわたって同一である場合に、基準時刻から前記フォーカス位置に設定された時刻までの経過時間を前記フォーカス位置に関連付けて前記記憶手段に記憶させることを特徴とする、
請求項１１に記載の表示制御方法。
【請求項１３】
第１フォーカスデータを取得するステップを複数有し、
前記記憶させるステップにおいて、複数の前記第１フォーカスデータを取得した順番と前記複数の第１フォーカスデータとを関連付けて前記記憶手段に記憶させ、
前記表示させるステップにおいて、前記順番に関連付けて前記複数の第１フォーカスデータを前記表示手段に表示させることを特徴とする、
請求項１０から１２のいずれか１項に記載の表示制御方法。
【請求項１４】
前記表示させるステップにおいて、前記第２フォーカスデータが、前記表示手段に表示させた前記第１フォーカスデータから所定の範囲内に含まれた後に、前記所定の範囲外に変化した場合に、次の順番に対応する前記第１フォーカスデータを前記表示手段に表示させることを特徴とする、
請求項１３に記載の表示制御方法。
【請求項１５】
前記表示させるステップにおいて、前記表示手段に表示させた前記複数の第１フォーカスデータのうち、前記第２フォーカスデータから所定の範囲内になった第１フォーカスデータの表示を中止することを特徴とする、
請求項１３又は１４に記載の表示制御方法。
【請求項１６】
前記記憶させるステップにおいて、撮影シーンを識別するためのシーン識別情報に関連付けて前記第１フォーカスデータを前記記憶手段に記憶させ、
前記表示させるステップは、
前記記憶手段に記憶された複数の前記シーン識別情報から一のシーン識別情報を選択するための画面を前記表示手段に表示させるステップと、
選択された前記一のシーン識別情報に対応する前記第１フォーカスデータを前記表示手段に表示させるステップと、
を有することを特徴とする、
請求項１０から１５のいずれか１項に記載の表示制御方法。
【請求項１７】
前記記憶させるステップにおいて、前記撮像装置を識別するための撮像装置識別情報に関連付けて前記第１フォーカスデータを記憶手段に記憶させ、
前記第２フォーカスデータを取得するステップにおいて、前記撮像装置から前記撮像装置識別情報を取得し、取得した前記撮像装置識別情報が、前記記憶手段から読み出した前記第１フォーカスデータに関連付けられている前記撮像装置識別情報と一致しない場合に、警告情報を前記表示手段に表示させることを特徴とする、
請求項１０から１６のいずれか１項に記載の表示制御方法。
【請求項１８】
前記第２フォーカスデータを取得するステップにおいて、前記撮像装置から取得した前記撮像装置識別情報が、前記記憶手段から読み出した前記第１フォーカスデータに関連付けられている前記撮像装置識別情報と一致しない場合に、前記撮像装置において用いられているフォーカス位置を示すフォーカスデータを、当該撮像装置の前記撮像装置識別情報に関連付けて前記第１フォーカスデータとして記憶手段に記憶させることを特徴とする、
請求項１７に記載の表示制御方法。
【請求項１９】
被写体を撮影することにより画像データを生成する画像データ生成手段と、
撮影に用いられているフォーカス位置を示す第１フォーカスデータを取得するフォーカスデータ取得手段と、
前記第１フォーカスデータを記憶手段に記憶させる記憶制御手段と、
前記画像データに基づく画像を表示手段に表示させる画像表示手段と、
を有し、
前記フォーカスデータ取得手段は、前記記憶制御手段が前記第１フォーカスデータを前記記憶手段に記憶させた後に実行される前記撮像装置における画像の撮影期間中に、前記撮像装置において用いられているフォーカス位置を示す第２フォーカスデータを取得し、
前記画像表示手段は、前記撮影期間中に、前記画像データに基づく表示画像に重畳して、前記第１フォーカスデータ及び前記第２フォーカスデータを表示手段に表示させることを特徴とする撮像装置。
【発明の詳細な説明】
【技術分野】
【０００１】
本発明は、画像を表示する表示装置、画像の表示制御方法、及び撮像装置に関するものである。
【背景技術】
【０００２】
従来、デジタルカメラ又はデジタルビデオカメラ等の撮像装置を用いて被写体を撮影する際に、フォーカスが合った位置に関する情報をディスプレイに表示する方法が知られている。特許文献１には、被写体の撮影中に被写体までの距離を検出し、撮像装置の光軸方向における被写体の位置とフォーカスが合った位置との関係を示す画像を表示する撮像装置が開示されている。
【先行技術文献】
【特許文献】
【０００３】
【特許文献１】特開２０１０−９３４２２号公報
【発明の概要】
【発明が解決しようとする課題】
【０００４】
映画の撮影のように、高い精度でフォーカスを合わせる必要がある撮影現場では、フォーカスを調整する担当者（以下、「ユーザ」という）が、撮像装置のフォーカスを手動で調整している。従来の技術においては、フォーカスが合った位置が表示されるので、ユーザは、所望の位置にフォーカスが合っているか否かを撮影中に確認し、所望の位置にフォーカスが合っていない場合に、フォーカスを調整することができる。
【０００５】
しかしながら、特許文献１に記載の方法では、撮影している領域内に複数の被写体がある場合、複数の被写体の位置が画面に表示される。したがって、ユーザが、どの被写体にフォーカスを合わせればよいかを瞬時に判断することが難しく、フォーカスの調整に長時間を要したり、間違った被写体にフォーカスを合わせてしまったりする場合が生じるという問題があった。
【０００６】
そこで、本発明は上述した点に鑑みてなされたものであり、フォーカスの調整を容易にすることを目的とする。
【課題を解決するための手段】
【０００７】
上記の課題を解決するために、本発明の表示装置は、撮像装置が被写体を撮影することにより生成された画像データを取得する画像データ取得手段と、前記撮像装置における撮影に用いられているフォーカス位置を示す第１フォーカスデータを取得するフォーカスデータ取得手段と、前記第１フォーカスデータを記憶手段に記憶させる記憶制御手段と、前記画像データに基づく画像を表示手段に表示させる画像表示手段と、を有し、前記フォーカスデータ取得手段は、前記記憶制御手段が前記第１フォーカスデータを前記記憶手段に記憶させた後に実行される前記撮像装置における画像の撮影期間中に、前記撮像装置において用いられているフォーカス位置を示す第２フォーカスデータを取得し、前記画像表示手段は、前記撮影期間中に、前記画像データに基づく表示画像に重畳して、前記第１フォーカスデータ及び前記第２フォーカスデータを表示手段に表示させることを特徴とする。
【発明の効果】
【０００８】
本発明によれば、フォーカスの調整が容易になるという効果を奏する。
【図面の簡単な説明】
【０００９】
【図１】第１の実施形態に係る撮影システムＳの構成を示す図である。
【図２】表示装置２が表示するフォーカス調整用画像を示す図である。
【図３】撮像装置１の構成を示す図である。
【図４】表示装置２の構成を示す図である。
【図５】目標フォーカス位置テーブルを示す図である。
【図６】複数の目標位置画像２０２を表示したフォーカス調整用画像２０１を示す図である。
【図７】表示装置２における目標フォーカスデータの記録処理の手順を示すフローチャートである。
【図８】表示装置２における目標フォーカスデータの再生処理の手順を示すフローチャートである。
【図９】表示装置２における目標フォーカスデータの再生処理の手順の変形例を示すフローチャートである。
【図１０】第２の実施形態に係る表示装置２における再生処理のフローチャートである。
【図１１】第３の実施形態に係る撮像装置１の構成を示す図である。
【発明を実施するための形態】
【００１０】
＜第１の実施形態＞
［撮影システムＳの概要］
図１は、第１の実施形態に係る撮影システムＳの構成を示す図である。撮影システムＳは、例えば、映画の撮影に用いられるシステムである。撮影システムＳは、撮像装置１と、表示装置２と、リモコン３と、を含んで構成されている。
【００１１】
撮像装置１は、被写体を撮影することにより動画又は静止画の画像データを生成するビデオカメラである。撮像装置１は、ケーブルを介してリモコン３と接続されており、ユーザは、撮像装置１又はリモコン３に設けられたフォーカスリングを用いて、フォーカスが合う位置（以下、「フォーカス位置」という）を調整することができる。フォーカス位置は、撮像装置１のレンズとフォーカスが合った被写体との間の距離により表される。
【００１２】
撮像装置１は、画像データを含む画像信号を生成し、生成した画像信号を、伝送路４を介して表示装置２に送信する。伝送路４は、例えばＳＤＩ（Serial Digital Interface）に対応しており、デジタル映像及びデジタル音声を伝送可能な同軸ケーブルにより構成されている。撮像装置１は、被写体の撮影に使用しているフォーカス位置である使用フォーカス位置を示す使用フォーカスデータを、ＳＤＩ対応の画像信号におけるアンシラリデータ領域を用いて表示装置２に送信する。
【００１３】
表示装置２は、例えば液晶ディスプレイ又は有機ＥＬ（Electro Luminescence）ディスプレイである。表示装置２は、撮像装置１から受信した画像信号に含まれている画像データに基づく表示画像を表示する。表示装置２は、リハーサルにおける撮影において撮像装置１が使用したフォーカス位置を、本番の撮影時に使用するフォーカス位置の目標である目標フォーカス位置として記憶することができる。表示装置２は、ユーザが本番の撮影をする際に、記憶している目標フォーカス位置、及び本番の撮影中に撮像装置１から受信した使用フォーカス位置を示すフォーカス調整用画像を表示する。
【００１４】
図２は、表示装置２が表示するフォーカス調整用画像を示す図である。図２（ａ）に示すように、表示装置２には、被写体Ｈとともに、フォーカス調整用画像２０１が表示されている。フォーカス調整用画像２０１は、０ｍから無限大（∞）までの距離を示す目盛り画像と、目標フォーカス位置を示す目標位置画像２０２（黒色の三角形の画像）と、使用フォーカス位置を示す使用位置画像２０３（白色の三角形の画像）とを含む画像である。
【００１５】
ユーザは、図２（ａ）に示すフォーカス調整用画像２０１を見ながら、リモコン３を操作することにより、撮像装置１のフォーカス位置を調整することができる。ユーザがリモコン３を操作することにより撮像装置１のフォーカス位置が変化すると、撮像装置１から表示装置２に対して、変化後の使用フォーカス位置を示すデータが送信される。表示装置２は、受信したデータが示す使用フォーカス位置に基づいて、使用位置画像２０３の位置を変化させる。具体的には、表示装置２は、図２（ｂ）に示すように、ユーザがフォーカス位置を調整する前の使用フォーカス位置を示す使用位置画像２０３ａから、ユーザがフォーカス位置を調整した後の使用フォーカス位置を示す使用位置画像２０３ｂに表示を切り替える。
【００１６】
ユーザは、図２（ｂ）のように、使用位置画像２０３ｂの位置が目標位置画像２０２の位置とほぼ一致していることを確認することにより、目標とするフォーカス位置に調整できたことを把握することができる。このように、撮影システムＳにおいては、撮像装置１と接続された表示装置２に、目標として設定されたフォーカス位置と、撮像装置１が使用しているフォーカス位置とが表示されるので、ユーザは、撮像装置１で使用するフォーカス位置を所望の位置に容易に調整することができる。
以下、撮像装置１及び表示装置２の構成について、詳細に説明する。
【００１７】
［撮像装置１の構成］
図３は、撮像装置１の構成を示す図である。撮像装置１は、レンズ部１１と、撮像部１２と、リモコンＩＦ（インターフェイス）部１３と、画像信号出力部１４と、表示部１５と、記憶部１６と、制御部１７とを有する。制御部１７は、操作受付部１７１と、フォーカス制御部１７２と、画像処理部１７３と、画像信号生成部１７４とを有する。
【００１８】
レンズ部１１は、レンズと、レンズを光軸方向に移動させる駆動手段とを有する。レンズ部１１は、制御部１７による制御に基づいて駆動手段がレンズの位置を移動させることにより、フォーカス位置を変更することができる。
撮像部１２は、レンズ部１１を介して入射した光に基づいて撮像面に結像された被写体の画像を光電変換することにより、撮像信号を生成する。撮像部１２は、例えば、ＣＣＤ又はＣＭＯＳセンサーである。
【００１９】
リモコンＩＦ部１３は、ケーブルを介してリモコン３と接続されており、リモコン３においてユーザが入力した操作内容を示す操作データを受信する。リモコンＩＦ部１３は、例えば、撮影に用いるフォーカス位置を指定するための操作データをリモコン３から受信し、受信したデータを操作受付部１７１に通知する。
【００２０】
画像信号出力部１４は、撮像部１２が生成した撮像信号に基づく画像データを含む画像信号を表示装置２に対して出力するためのインターフェイスである。画像信号出力部１４は、撮像部１２が撮像信号を生成した時に使用されているフォーカス位置を示す使用フォーカスデータをアンシラリデータ領域に含む、ＳＤＩ対応の画像信号を出力する。また、画像信号出力部１４は、画像データを含む画像信号を表示部１５に出力する。
表示部１５は、例えば液晶ディスプレイ又は有機ＥＬディスプレイである。表示部１５は、画像信号出力部１４から入力される画像信号に基づく表示画像を表示する。
【００２１】
記憶部１６は、ＲＯＭ及びＲＡＭ等の記憶媒体である。記憶部１６は、制御部１７が実行するプログラムを記憶している。また、記憶部１６は、制御部１７が生成する各種のデータを一時的に記憶する。
【００２２】
制御部１７は、例えばＣＰＵであり、記憶部１６が記憶しているプログラムを実行することにより、操作受付部１７１、フォーカス制御部１７２、画像処理部１７３及び画像信号生成部１７４として動作する。
操作受付部１７１は、リモコンＩＦ部１３を介して入力されたユーザの操作を受け付ける。操作受付部１７１は、例えば、フォーカス位置を指定する操作データを受け付けて、受け付けた操作データをフォーカス制御部１７２に通知する。
【００２３】
フォーカス制御部１７２は、操作受付部１７１が受け付けた、フォーカス位置を指定する操作データに基づいてレンズ部１１の駆動手段を制御することにより、撮像装置１が使用するフォーカス位置を調整する。フォーカス制御部１７２は、調整後のフォーカス位置を示す使用フォーカスデータを画像信号生成部１７４に通知する。
【００２４】
画像処理部１７３は、撮像部１２が生成した撮像信号に基づいて画像データを生成し、生成した画像データに、色補正及びガンマ補正等の画像処理、並びに圧縮処理を施す。画像処理部１７３は、画像処理及び圧縮処理を施した後の画像データを画像信号生成部１７４に出力する。
【００２５】
画像信号生成部１７４は、フォーカス制御部１７２から入力された使用フォーカスデータと、画像処理部１７３から入力された画像データとを含む画像信号を生成する。具体的には、画像信号生成部１７４は、アンシラリデータ領域に使用フォーカスデータを含むＳＤＩ対応の画像信号を生成する。画像信号生成部１７４は、生成した画像信号を画像信号出力部１４及び表示部１５に出力する。
【００２６】
［表示装置２の構成］
図４は、表示装置２の構成を示す図である。表示装置２は、画像信号入力部２１と、操作部２２と、表示部２３と、記憶部２４と、制御部２５とを有する。制御部２５は、操作受付部２５１と、画像データ取得部２５２と、フォーカスデータ取得部２５３と、記憶制御部２５４と、画像表示部２５５とを有する。
【００２７】
画像信号入力部２１は、画像信号出力部１４が出力する画像信号の入力を受けるインターフェイスである。画像信号入力部２１は、入力された画像信号をデコードして、画像データ取得部２５２及びフォーカスデータ取得部２５３に出力する。
【００２８】
操作部２２は、ユーザが表示装置２にデータを設定するための操作に用いられる操作パネル、操作ボタン又はタッチパネル等の入力手段である。操作部２２は、ユーザの操作内容を示す操作データを操作受付部２５１に通知する。ユーザは、操作部２２を介して、目標フォーカスデータの記録の開始、再生の開始、及び再生の終了等の操作をすることができる。また、ユーザは、操作部２２を介して、記録する目標フォーカスデータに対応する撮影シーンを識別するためのシーン識別情報として、日付又はシーン識別番号等を入力することができる。
【００２９】
表示部２３は、画像表示部２５５から出力される画像データに基づく表示画像を表示する。表示部２３は、例えば、液晶ディスプレイ又は有機ＥＬディスプレイである。
【００３０】
記憶部２４は、ＲＯＭ及びＲＡＭ等の記憶媒体である。記憶部２４は、制御部２５が実行するプログラムを記憶している。また、記憶部２４は、制御部２５が出力する各種のデータを一時的に記憶する。例えば、記憶部２４は、目標フォーカスデータの記録中にフォーカスデータ取得部２５３が取得した使用フォーカスデータを、目標フォーカスデータとして記憶する。
【００３１】
制御部２５は、例えばＣＰＵであり、記憶部２４が記憶しているプログラムを実行することにより、操作受付部２５１、記憶制御部２５４、画像データ取得部２５２、フォーカスデータ取得部２５３及び画像表示部２５５として動作する。
【００３２】
操作受付部２５１は、操作部２２を介して、ユーザの操作内容を示す操作データを受け付ける。例えば、操作受付部２５１は、ユーザが入力した目標フォーカスデータの記録を開始するための操作データを受け付けると、記憶制御部２５４に対して、目標フォーカスデータの記録を開始する旨を通知する。また、操作受付部２５１は、図２に示したフォーカス調整用画像２０１を表示させる再生動作を開始又は終了するための操作、目標フォーカスデータを切り替えるための操作を受け付けると、これらの操作の内容を画像表示部２５５に通知する。
【００３３】
画像データ取得部２５２は、画像信号入力部２１から入力された画像信号に含まれている画像データを取得する。すなわち、画像データ取得部２５２は、フォーカスデータ取得部２５３が取得する使用フォーカスデータに対応するフォーカス位置を用いて撮像装置１が被写体を撮影することにより生成された画像データを取得する。画像データ取得部２５２は、取得した画像データを画像表示部２５５に出力する。
【００３４】
フォーカスデータ取得部２５３は、画像信号入力部２１から入力された画像信号に含まれている使用フォーカスデータを取得する。フォーカスデータ取得部２５３は、取得した使用フォーカスデータを記憶制御部２５４及び画像表示部２５５に出力する。
【００３５】
記憶制御部２５４は、操作受付部２５１から、目標フォーカスデータの記録を開始する旨の通知を受けると、シーン識別情報に関連付けて、フォーカスデータ取得部２５３から入力された使用フォーカスデータ（第１フォーカスデータ）を、目標フォーカスデータとして記憶部２４に記憶させる。記憶制御部２５４は、撮像装置１における画像の撮影において使用する順番に関連付けて、複数の目標フォーカスデータを記憶手段に記憶させる。
【００３６】
例えば、記憶制御部２５４は、目標フォーカスデータの設定を開始する旨の通知を操作受付部２５１から受けると、目標フォーカスデータのシリアル番号を１にリセットする。その後、記憶制御部２５４は、使用フォーカスデータをフォーカスデータ取得部２５３から所定の時間間隔で受け取るたびに、シリアル番号に関連付けて使用フォーカスデータを目標フォーカスデータとして記憶部２４に記憶させる。記憶制御部２５４は、目標フォーカスデータを記憶部２４に記憶させるたびに、シリアル番号を１ずつ加算する。
【００３７】
このようにすることで、記憶部２４には、図５（ａ）に示すような、シリアル番号と目標フォーカスデータとが関連付けられた目標フォーカス位置テーブルが生成される。記憶制御部２５４は、図５（ｂ）に示すように、基準時刻（例えば、目標フォーカスデータの記録を開始した時刻）からの経過時間と目標フォーカス位置とを関連付けて記憶部２４に記憶させてもよい。
【００３８】
記憶制御部２５４は、撮像装置１において用いられているフォーカス位置が所定値以上の時間にわたって同一である場合に、フォーカスデータ取得部２５３から入力された使用フォーカスデータを、目標フォーカスデータとして記憶部２４に記憶させてもよい。具体的には、記憶制御部２５４は、フォーカスデータ取得部２５３から入力された使用フォーカスデータの値を監視し、使用フォーカスデータの値が変化した場合に、変化後の値を暫定的に記憶部２４に記憶させる。記憶制御部２５４は、変化後の値を暫定的に記憶部２４に記憶させた後、変化後の値が所定値以上の時間にわたって変化しない場合に、シリアル番号に関連付けて、暫定的に記憶させた値を目標フォーカスデータとして記憶部２４に記憶させる。記憶制御部２５４は、変化後の値を暫定的に記憶部２４に記憶させた後、変化後の値が所定値に満たない時間で変化した場合には、暫定的に記憶させた値を記憶部２４から消去する。
【００３９】
また、記憶制御部２５４は、撮像装置１において用いられているフォーカス位置が所定値以上の時間にわたって同一である場合に、基準時刻から当該フォーカス位置に設定された時刻までの経過時間をフォーカス位置に関連付けて記憶部２４に記憶させてもよい。具体的には、記憶制御部２５４は、使用フォーカスデータの値が変化した場合に、変化後の値と、値が変化した時点における基準時刻からの経過時間とを関連付けて、暫定的に記憶部２４に記憶させる。記憶制御部２５４は、変化後の値を暫定的に記憶部２４に記憶させた後、変化後の値が所定値以上の時間にわたって変化しない場合に、暫定的に記憶させた値と経過時間とを目標フォーカスデータとして記憶部２４に記憶させる。
【００４０】
画像表示部２５５は、操作受付部２５１から、目標フォーカスデータの再生を開始する旨の通知を受けると、フォーカスデータ取得部２５３から入力された使用フォーカスデータ及び記憶部２４に記憶されている目標フォーカスデータに基づいて、図２に示したフォーカス調整用画像２０１を生成し、生成したフォーカス調整用画像２０１を表示部２３に表示させる。画像表示部２５５は、画像データ取得部２５２から入力された画像データに、目標位置画像２０２及び使用位置画像２０３を含むフォーカス調整用画像２０１を重畳することにより、図２に示した画面に対応する表示画像データを生成する。
【００４１】
画像表示部２５５は、フォーカスデータ取得部２５３から新たな使用フォーカスデータを取得するたびに、フォーカス調整用画像２０１を更新する。このようにすることで、ユーザがフォーカス位置を変更したことに応じて、図２（ｂ）に示したように、フォーカス調整用画像２０１における使用位置画像２０３が移動するので、ユーザは、使用中のフォーカス位置をリアルタイムで把握することができる。
【００４２】
画像表示部２５５は、複数の目標フォーカス位置を、使用する順番を示す情報に関連付けて表示部２３に表示させてもよい。例えば、画像表示部２５５は、複数の目標位置画像２０２の夫々の近傍に、目標フォーカス位置に関連付けて記憶部２４に記憶されているシリアル番号を表示させる。
【００４３】
図６は、複数の目標位置画像２０２を含むフォーカス調整用画像２０１を示す図である。図６においては、図５に示した目標フォーカス位置テーブルに含まれている複数の目標フォーカス位置のうち、シリアル番号が１から３までの３つのフォーカス位置（８ｍ、３ｍ、６ｍ）に対応する目標位置画像２０２が表示されている。このように、画像表示部２５５は、目標フォーカス位置テーブルに含まれている複数の目標フォーカス位置のうち、予めユーザにより設定された個数の目標フォーカス位置を表示部２３に表示させてもよい。
【００４４】
図６における夫々の目標位置画像２０２の上部には、目標フォーカス位置が使用される順番を示す（１）、（２）、（３）の番号が表示されており、ユーザは、撮影中に、番号の順番にフォーカス位置を変更する必要があることを把握できる。したがって、ユーザは、例えば、１番目の目標フォーカス位置である８ｍにフォーカス位置を設定して撮影中に、次には３ｍにフォーカス位置を変更する必要があることを把握できるので、撮影する場面が切り替わるタイミングで迅速にフォーカス位置を変更することができる。
【００４５】
また、画像表示部２５５は、使用フォーカスデータが示す使用フォーカス位置が、表示部２３に表示させた目標フォーカスデータが示す目標フォーカス位置から所定の範囲内に含まれた後に、所定の範囲外に変化した場合に、次の順番に対応する目標フォーカスデータに対応する目標位置画像２０２を表示部２３に表示させてもよい。このようにすることで、ユーザが、次の目標フォーカスデータに切り替える操作をすることなく、次の目標フォーカスデータに対応する目標位置画像２０２が表示されるので、操作性が向上する。
【００４６】
また、画像表示部２５５は、表示部２３に表示させた複数の目標フォーカスデータのうち、使用フォーカスデータから所定の範囲内になった目標フォーカスデータの表示を中止してもよい。例えば、画像表示部２５５は、表示部２３に表示させた複数の目標位置画像２０２のうち、使用位置画像２０３の位置から所定の範囲内になった時間が所定の時間以上にわたって継続した場合、フォーカス位置が合ったと考えられるので、目標位置画像２０２を消去する。画像表示部２５５は、目標位置画像２０２を消去すると同時に、又は目標位置画像２０２を消去した後に、次の順番の目標位置画像２０２を表示部２３に表示させてもよい。このようにすることで、画像表示部２５５が複数の目標位置画像２０２を表示する場合に、ユーザは、不要な目標位置画像２０２を見ないで済むので、操作性がさらに向上する。
【００４７】
［表示装置２における記録処理の手順］
図７は、表示装置２における目標フォーカスデータの記録処理の手順を示すフローチャートである。アイドル状態において、操作受付部２５１は、目標フォーカスデータの記録を開始する操作が行われるかどうかを監視する（Ｓ３１）。操作受付部２５１は、記録を開始するための操作が行われたことを検出すると（Ｓ３１においてＹｅｓ）、画像表示部２５５を介して、シーン識別情報を入力するための操作画面を表示部２３に表示させ、ユーザにより入力されたシーン識別情報を取得する（Ｓ３２）。例えば、画像表示部２５５は、記憶部２４に記憶された複数のシーン識別情報から一のシーン識別情報を選択するための画面を表示部２３に表示させ、選択された一のシーン識別情報に対応する目標フォーカスデータを表示部２３に表示させる。
【００４８】
続いて、操作受付部２５１は、記録を開始する旨、及びユーザにより入力されたシーン識別情報を記憶制御部２５４に通知する。記憶制御部２５４は、記録を開始する旨の通知を受けると、操作受付部２５１から取得したシーン識別情報を記憶部２４に記憶させ、フォーカスデータ取得部２５３から入力される使用フォーカスデータの記録を開始する。
【００４９】
具体的には、記憶制御部２５４は、使用フォーカスデータの記録を開始すると、フォーカスデータ取得部２５３から使用フォーカスデータが入力されるか否かを確認する（Ｓ３３）。記憶制御部２５４は、使用フォーカスデータが入力されていることを確認した場合（Ｓ３３においてＹｅｓ）、これ以降、所定の時間間隔で使用フォーカスデータを取得する。記憶制御部２５４は、所定の時間にわたって使用フォーカスデータが入力されていないことを確認した場合（Ｓ３３においてＮｏ）、記録処理を終了する。
【００５０】
記憶制御部２５４は、使用フォーカスデータを取得すると、取得した使用フォーカスデータが、直前に取得した使用フォーカスデータから変化しているか否かを確認する（Ｓ３４）。記憶制御部２５４は、記憶制御部２５４が取得した使用フォーカスデータが、記録を開始してから最初の使用フォーカスデータである場合、及び使用フォーカスデータが直前に取得した使用フォーカスデータから変化している場合（Ｓ３４においてＹｅｓ）、変化後の使用フォーカスデータが、所定値以上の時間にわたって変化しないで同一であるか否かを確認する（Ｓ３５）。
【００５１】
記憶制御部２５４は、変化後の使用フォーカスデータが、所定値以上の時間にわたって同一である場合に（Ｓ３５においてＹｅｓ）、シーン識別情報に関連付けて、使用フォーカスデータを記憶部２４に記憶させる（Ｓ３６）。記憶制御部２５４は、記録を終了するための操作が行われたかを監視し（Ｓ３７）、記録を終了するための操作を検出するまでの間、Ｓ３５からＳ３７までの処理を繰り返す。
【００５２】
［表示装置２における再生処理の手順］
図８は、表示装置２における目標フォーカスデータの再生処理の手順を示すフローチャートである。アイドル状態において、操作受付部２５１は、目標フォーカスデータの再生を開始する操作が行われるかどうかを監視する（Ｓ４１）。操作受付部２５１は、再生を開始するための操作が行われたことを検出すると（Ｓ４１においてＹｅｓ）、画像表示部２５５を介して、シーン識別情報を入力するための操作画面を表示部２３に表示させ、ユーザにより入力されたシーン識別情報を取得する（Ｓ４２）。
【００５３】
操作受付部２５１は、シーン識別情報を取得すると、再生を開始する旨、及びシーン識別情報を画像表示部２５５に通知する。画像表示部２５５は、再生を開始する旨の通知を受けると、シーン識別情報に対応する目標フォーカスデータを記憶部２４から読み出すことにより、目標フォーカスデータの再生を開始する。
【００５４】
具体的には、画像表示部２５５は、目標フォーカスデータの再生を開始すると、フォーカスデータ取得部２５３から使用フォーカスデータが入力されるか否かを確認する（Ｓ４３）。画像表示部２５５は、使用フォーカスデータが入力されていることを確認した場合（Ｓ４３においてＹｅｓ）、これ以降、所定の時間間隔で使用フォーカスデータを取得する。画像表示部２５５は、所定の時間にわたって使用フォーカスデータが入力されていないことを確認した場合（Ｓ４３においてＮｏ）、再生処理を終了する。
【００５５】
画像表示部２５５は、使用フォーカスデータの取得と並行して、シーン識別情報に関連付けて記憶部２４に記憶された目標フォーカスデータを取得する（Ｓ４４）。画像表示部２５５は、使用フォーカスデータ及び目標フォーカスデータを取得すると、図２に示した目標位置画像２０２及び使用位置画像２０３を含むフォーカス調整用画像２０１を表示部２３に表示させる（Ｓ４５）。
【００５６】
続いて、画像表示部２５５は、操作受付部２５１から、次の順番の目標フォーカスデータに切り替える指示を受けた場合（Ｓ４６においてＹｅｓ）、Ｓ４４に戻って、次の順番の目標フォーカスデータを取得し、取得した目標フォーカスデータに対応する目標位置画像２０２を表示部２３に表示させる。画像表示部２５５は、Ｓ４６において、次の順番の目標フォーカスデータに切り替える指示を受けていない場合（Ｓ４６においてＮｏ）、Ｓ４７に進み、再生を終了するための操作が行われたかを監視し（Ｓ４７）、再生を終了するための操作を検出するまでの間、Ｓ４５からＳ４６までの処理を繰り返す。
【００５７】
［表示装置２における再生処理の手順（変形例）］
図９は、表示装置２における目標フォーカスデータの再生処理の手順の変形例を示すフローチャートである。Ｓ５１からＳ５５は、図８に示したフローチャートのＳ４１からＳ４５と同一であるので、説明を省略する。
【００５８】
画像表示部２５５は、Ｓ５５においてフォーカス調整用画像２０１を表示した後、使用フォーカス位置が目標フォーカス位置に対して所定の範囲内に入っている状態が、所定の時間以上にわたって継続しているか否かを確認する（Ｓ５６）。例えば、画像表示部２５５は、使用フォーカス位置と目標フォーカス位置とが一致している状態が、所定の時間以上にわたって継続しているか否かを確認する。
【００５９】
画像表示部２５５は、使用フォーカス位置が短時間で変化しており、目標フォーカス位置に対して所定の範囲内に入っている状態が継続していないと判定した場合（Ｓ５６においてＮｏ）、Ｓ５５に戻って、目標位置画像２０２を変化させないままで、使用フォーカスデータに基づいて使用位置画像２０３を更新し続ける。画像表示部２５５は、使用フォーカス位置が所定の範囲内に入っている状態が継続していると判定した場合（Ｓ５６においてＹｅｓ）、その後に使用フォーカスデータが変化したか否かを確認する（Ｓ５７）。
【００６０】
使用フォーカスデータが変化した場合、ユーザがフォーカス位置を変更する操作をしたと考えられる。そこで、画像表示部２５５は、使用フォーカスデータが変化したと判定した場合（Ｓ５７においてＹｅｓ）、Ｓ５４に戻って、新たな目標フォーカスデータを取得し（Ｓ５４）、フォーカス調整用画像２０１における目標位置画像２０２を変化させる（Ｓ５５）。
【００６１】
このようにすることで、画像表示部２５５は、ユーザがフォーカス位置を変更する操作に同期して、目標位置画像２０２を更新することができるので、リハーサルの撮影時と本番の撮影時で、フォーカス位置を変更するタイミングが一致していない場合であっても、適切なタイミングで目標位置画像２０２を切り替えることができる。なお、Ｓ５７において画像表示部２５５が、使用フォーカスデータが変化していないと判定した場合（Ｓ５７においてＮｏ）、Ｓ５８に進み、再生を終了するための操作が行われたかを監視し、再生を終了するための操作を検出するまでの間、Ｓ５５からＳ５７までの処理を繰り返す。
【００６２】
［第１の実施形態における効果］
以上説明したように、第１の実施形態に係る撮影システムＳにおいては、目標フォーカスデータの記録時に、フォーカスデータ取得部２５３が、撮像装置１から受信した画像信号に含まれている使用フォーカスデータを取得して、記憶制御部２５４を介して、記憶部２４に記憶させる。その後、目標フォーカスデータの再生時に、画像表示部２５５が、記憶部２４に記憶された目標フォーカスデータに基づく目標位置画像２０２、及びフォーカスデータ取得部２５３が取得する使用フォーカスデータに基づく使用位置画像２０３を含むフォーカス調整用画像２０１を表示部２３に表示させる。このような構成により、ユーザは、リハーサルにおける撮影時に用いたフォーカス位置を示す目標位置画像２０２を見ながら、本番の撮影時にフォーカス位置を調整することができるので、適切なフォーカス位置に容易に調整することが可能になる。
【００６３】
＜第２の実施形態＞
第１の実施形態においては、リハーサル時に用いられる撮像装置１と本番時に用いられる撮像装置１とが同一であることが想定されていた。これに対して、第２の実施形態においては、リハーサル時に用いられる撮像装置１と本番時に用いられる撮像装置１とが同一でない場合が想定されている点で、第１の実施形態と異なる。
【００６４】
リハーサル時に用いられる第１の撮像装置１と本番時に用いられる第２の撮像装置１とが同一でない場合、リハーサルにおける撮影時に使用されたフォーカス位置に基づく目標フォーカスデータを、第２の撮像装置１による本番の撮影時に用いると、フォーカスが合わない場合が生じてしまう。
【００６５】
そこで、第２の実施形態に係るフォーカスデータ取得部２５３は、目標フォーカスデータを記録する際に、撮像装置１から受信した画像信号に含まれている撮像装置ＩＤを抽出し、記憶制御部２５４は、撮像装置ＩＤに関連付けて目標フォーカスデータを記憶部２４に記憶させる。撮像装置ＩＤは撮像装置１を識別するための情報である。画像表示部２５５は、目標フォーカスデータを再生する際にフォーカスデータ取得部２５３が撮像装置１から取得した撮像装置ＩＤが、記憶部２４から読み出した目標フォーカスデータに関連付けられている撮像装置ＩＤと一致しない場合に、警告情報を表示部２３に表示させる。
【００６６】
また、記憶制御部２５４は、目標フォーカスデータを再生する際に、フォーカスデータ取得部２５３が取得した撮像装置ＩＤが、記憶部２４から読み出した目標フォーカスデータに関連付けられている撮像装置ＩＤと一致しない場合に、撮像装置１において用いられているフォーカス位置を示す使用フォーカスデータを、撮像装置１の撮像装置ＩＤに関連付けて目標フォーカスデータとして記憶部２４に記憶させてもよい。このようにすることで、表示装置２は、ユーザが使用できる目標フォーカスデータがないと判明した時点で、目標フォーカスデータを新たに記憶部２４に記憶させることができる。
【００６７】
図１０は、第２の実施形態に係る表示装置２における再生処理のフローチャートである。Ｓ６１及びＳ６２は、図８に示したフローチャートにおけるＳ４１及びＳ４２の処理と同一の処理である。Ｓ６２の後に、記憶制御部２５４は、フォーカスデータ取得部２５３を介して撮像装置１の撮像装置ＩＤを取得する（Ｓ６３）。続いて、記憶制御部２５４は、Ｓ６３において取得した撮像装置ＩＤが、記憶部２４に目標フォーカスデータに関連付けて記憶されている撮像装置ＩＤに一致するか否かを判定する（Ｓ６４）。これらの撮像装置ＩＤが一致している場合（Ｓ６４においてＹｅｓ）、表示装置２は、Ｓ６５からＳ６９までの処理を実行する。Ｓ６５からＳ６９までの処理は、図８に示したフローチャートにおけるＳ４３からＳ４７までの処理と同一の処理である。
【００６８】
記憶制御部２５４は、Ｓ６４において、目標フォーカスデータの再生中に取得した撮像装置ＩＤが、記憶部２４に記憶されている撮像装置ＩＤと一致しないと判定した場合（Ｓ６４においてＮｏ）、警告情報を表示部２３に表示させる（Ｓ７０）。その後、記憶制御部２５４は、図７に示した目標フォーカスデータの記録処理（Ｓ３１）に移行し、フォーカスデータ取得部２５３から取得する使用フォーカスデータを、撮影に使用中の撮像装置１の撮像装置ＩＤに関連付けて、目標フォーカスデータとして記憶部２４に記憶させてもよい。
【００６９】
［第２の実施形態における効果］
以上説明したように、第２の実施形態に係る表示装置２は、目標フォーカスデータに関連付けて、撮像装置１の撮像装置ＩＤを記憶部２４に記憶する。そして、画像表示部２５５は、目標フォーカスデータを再生する際に使用フォーカスデータを取得した撮像装置１の撮像装置ＩＤが、記憶部２４に記憶された撮像装置ＩＤに一致している場合に、フォーカス調整用画像２０１を表示部２３に表示させる。また、これらの撮像装置ＩＤが一致していない場合に、記憶制御部２５４は、フォーカスデータ取得部２５３が取得した使用フォーカスデータを、撮像装置ＩＤに関連付けて目標フォーカスデータとして記憶部２４に記憶させる。このようにすることで、リハーサル時に用いられる第１の撮像装置１と本番時に用いられる第２の撮像装置１とが同一でない場合に、ユーザがフォーカス調整用画像２０１を用いることで、フォーカスが合っていない状態で撮影してしまうことを防止できる。
【００７０】
＜第３の実施形態＞
第１の実施形態及び第２の実施形態においては、表示装置２が、目標フォーカス位置及び使用フォーカス位置を表示した。これに対して、第３の実施形態においては、撮像装置１が、目標フォーカス位置及び使用フォーカス位置を表示部１５に表示する点で、第１の実施形態及び第２の実施形態と異なる。
【００７１】
図１１は、第３の実施形態に係る撮像装置１の構成を示す図である。図１１に示した撮像装置１は、記憶制御部１７５を有する点で、図３に示した撮像装置１と異なる。また、画像信号生成部１７４が、画像データに基づく画像を表示部１５に表示させるだけでなく、画像データに基づく画像に重畳させて、目標フォーカス位置を示す目標位置画像２０２及び使用フォーカス位置を示す使用位置画像２０３を含むフォーカス調整用画像２０１を表示部１５に表示させる点で、図３に示した撮像装置１と異なる。
【００７２】
記憶制御部１７５は、第１の実施形態及び第２の実施形態に係る記憶制御部２５４と同等の機能を有している。例えば、記憶制御部１７５は、目標フォーカスデータの記録時に使用されているフォーカス位置を、目標フォーカスデータとして記憶部１６に記憶させる。記憶部１６は、図５に示したような目標フォーカス位置テーブルを記憶している。画像信号生成部１７４は、第１の実施形態及び第２の実施形態に係る画像表示部２５５と同様に、記憶部１６が記憶している目標フォーカス位置を順次読み出して、フォーカス制御部１７２から入力される使用フォーカスデータに基づく使用位置画像２０３とともに、目標位置画像２０２を表示部１５に表示させる。
【００７３】
［第３の実施形態における効果］
以上説明したように、第３の実施形態に係る撮像装置１は、目標フォーカスデータの記録時に記憶された目標フォーカス位置を、撮影中に使用されているフォーカス位置とともに表示することができる。したがって、撮像装置１に表示装置２を接続することなく、ユーザは、予めリハーサルの撮影時に用いたフォーカス位置を目標フォーカス位置として設定して、本番の撮影時に、撮像装置１のフォーカス位置を容易に合わせることができるようになる。
【００７４】
以上、本発明を実施の形態を用いて説明したが、本発明の技術的範囲は上記実施の形態に記載の範囲には限定されず、その要旨の範囲内で種々の変形及び変更が可能である。
【符号の説明】
【００７５】
２３・・・表示部
２４・・・記憶部
２５２・・・画像データ取得部
２５３・・・フォーカスデータ取得部
２５４・・・記憶制御部
２５５・・・画像表示部
【図１】
2016206251.tif 000003
【図２】
2016206251.tif 000004
【図３】
2016206251.tif 000005
【図４】
2016206251.tif 000006
【図５】
2016206251.tif 000007
【図６】
2016206251.tif 000008
【図７】
2016206251.tif 000009
【図８】
2016206251.tif 000010
【図９】
2016206251.tif 000011
【図１０】
2016206251.tif 000012
【図１１】
2016206251.tif 000013